(57)【要約】【課題】  極めて簡単な操作での出し入れを可能とすることで、有効な活用を図るとともに日常の作業の簡便化を図り、また例えば季節に適さない衣服の衣更えなどを簡単に行うことができ、しかも外観がスマートになって外観性が向上する。【解決手段】  収納家具は、手前側を開口した枠体１２と、枠体１２の開口から手前側に引出し可能に収納される複数個の引出しと、枠体１２の開口に略鉛直状態から略水平状態に開閉可能に設けられる前扉体とを有し、前扉体は、略鉛直状態では開口を閉じて少なくとも１つの引出しを覆い、略水平状態では開口から引出しを手前側に引出し可能で、かつ引出しの収納物の作業台として機能する。【選択図】図３
2008048841.tif 000002
【特許請求の範囲】
【請求項１】
手前側を開口した枠体と、
前記枠体の開口から手前側に引出し可能に収納される複数個の引出しと、
前記枠体の開口に略鉛直状態から略水平状態に開閉可能に設けられる前扉体とを有し、
前扉体は、
略鉛直状態では前記開口を閉じて少なくとも１つの引出しを覆い、
略水平状態では前記開口から前記引出しを手前側に引出し可能で、かつ前記引出しの収納物の作業台として機能することを特徴とする収納家具。
【請求項２】
前扉体の下側両端部を、前記枠体に回転可能に設け、
前記枠体と前扉体との間に、開き角度が大きくなるほどブレーキ効果が大きくなるブレーキ機能を有する開閉機構を備えることを特徴とする請求項１に記載の収納家具。
【請求項３】
前記枠体と前記引出しとの間に、
前記枠体に固定した枠体側レールと、前記引出しに固定した引出し側レールと、前記枠体側レールと前記引出し側レールとの間に配置される中間レールとを有し、前記引出しを開口から引き出し可能なスライドレール機構を備えることを特徴とする請求項１または請求項２に記載の収納家具。
【発明の詳細な説明】
【技術分野】
【０００１】
この発明は、たんす、ブランケットケース、下駄箱、本箱、食器棚、リビングボード、ラック、収納棚などの収納家具に関する。
【背景技術】
【０００２】
従来の収納家具として、種々のものが提案されているが（特許文献１，２）、例えば、たんすの引き出しには、着物や洋服などの衣服が収納されるが、収納するためには衣服をたたんだりして収納し易いようにし、また衣服を着る場合には、引き出しから衣服を取り出してたたんだ状態を開いて確認するなどの作業を行っている。
【特許文献１】特開平５-３０９０２１号公報
【特許文献２】特開平８-３２６４２１号公報
【発明の開示】
【発明が解決しようとする課題】
【０００３】
この作業は、例えば畳の上において行っており、背をかがめて不自然な格好で作業せざるをえず、収納物の出し入れが困難で有効に活用できなかった。特に、季節の変わり目には衣更えのため、使わなくなった衣服を入れ替えなければならず手間が大変であった。また、ブランケットケースとして用いる場合などにも毛布やタオルなどの折りたたみを手元で行うことができなかった。
【０００４】
この発明は、かかる点に鑑みてなされたもので、極めて簡単な操作での出し入れを可能とすることで、有効な活用を図るとともに日常の作業の簡便化を図り、また例えば季節に適さない衣服の衣更えなどを簡単に行うことができ、しかも外観がスマートになって外観性が向上する収納家具を提供することを目的としている。
【課題を解決するための手段】
【０００５】
前記課題を解決し、かつ目的を達成するために、この発明は、以下のように構成されている。
【０００６】
請求項１に記載の発明は、手前側を開口した枠体と、
前記枠体の開口から手前側に引出し可能に収納される複数個の引出しと、
前記枠体の開口に略鉛直状態から略水平状態に開閉可能に設けられる前扉体とを有し、
前扉体は、
略鉛直状態では前記開口を閉じて少なくとも１つの引出しを覆い、
略水平状態では前記開口から前記引出しを手前側に引出し可能で、かつ前記引出しの収納物の作業台として機能することを特徴とする収納家具である。
【０００７】
請求項２に記載の発明は、前扉体の下側両端部を、前記枠体に回転可能に設け、
前記枠体と前扉体との間に、開き角度が大きくなるほどブレーキ効果が大きくなるブレーキ機能を有する開閉機構を備えることを特徴とする請求項１に記載の収納家具である。
【０００８】
請求項３に記載の発明は、前記枠体と前記引出しとの間に、
前記枠体に固定した枠体側レールと、前記引出しに固定した引出し側レールと、前記枠体側レールと前記引出し側レールとの間に配置される中間レールとを有し、前記引出しを開口から引き出し可能なスライドレール機構を備えることを特徴とする請求項１または請求項２に記載の収納家具である。
【発明の効果】
【０００９】
前記構成により、この発明は、以下のような効果を有する。
【００１０】
請求項１に記載の発明では、前扉体は、略鉛直状態では開口を閉じて少なくとも１つの引出しを覆い、収納家具の外観がスマートになって外観性が向上する。また、前扉体は、略水平状態では開口から引出しを手前側に容易に引出し可能で、かつ引出しの収納物の作業台として機能することで、無理な姿勢になることなく引出しの収納物を取り出して略水平状態の扉体上で作業でき、また前扉体上で作業して引出しに収納することができる。
【００１１】
請求項２に記載の発明では、枠体と前扉体との間に、開き角度が大きくなるほどブレーキ効果が大きくなるブレーキ機能を有する開閉機構を備えることで、前扉体を略水平状態にするときの衝撃や音を緩和することができる。
【００１２】
請求項３に記載の発明では、枠体と引出しとの間に、引出しを開口から引き出し可能なスライドレール機構を備えることで、引出し全体を手前側に引き出し、しかも確実に引出し全体を支持することができる。
【発明を実施するための最良の形態】
【００１３】
以下、この発明の収納家具の実施の形態について説明するが、この発明の実施の形態は、発明の最も好ましい形態を示すものであり、この発明はこれに限定されない。
【００１４】
この発明の収納家具をたんすに適用した実施の形態を、図１乃至図１２に基づいて説明する。図１はたんすの正面図、図２はたんすの一部を破断した正面図、図３はたんすの引き出しを引き出した状態の側面図、図４は前扉体の開閉機構部の正面図、図５は前扉体の開閉機構部の側面図、図６はスライドレール機構部の正面図、図７はスライドレール機構部の側面図、図８はスライドレール機構部の作動を示す図、図９は前扉体の全部を開放した状態を示す斜視図、図１０は１個の引き出しを引き出した状態を示す斜視図、図１１は２個の引き出しを引き出した状態を示す斜視図、図１２は３個の引き出しを引き出した状態を示す斜視図である。
【００１５】
この実施の形態において、収納家具はたんす11であり、このたんす11は、手前側を開口した枠体１２と、枠体１２の開口から手前側に引出し可能に収納される複数個の引出し１３ａ〜１３ｆと、枠体１２の内部に配置される棚板１４と、枠体１２の開口に略鉛直状態から略水平状態に開閉可能に設けられる前扉体１５ａ〜１５ｃと、前扉体１６とを有し、台板６０の上に備えられる。
【００１６】
枠体１２は、左右の側板1２ａ、天板1２ｂ、底板1２ｃ、背板１２ｄ、仕切り板１２ｄ〜１２ｇ等で箱形に組み立てられたものであり、手前側が開口している。これらは従来と同様の木製である。複数個の引出し１３ａ〜１３ｆは、１個の引出し１３ａが大きく形成され、２個の引出し１３ｂ、１３ｃは中間の大きさに形成され、３個の引出し１３ｄ〜１３ｆは小さく形成され、従来と同様の木製である。棚板１４は、左右の側板1２ａの間に水平に配置され、従来と同様の木製である。
【００１７】
前扉体１５ａ〜１５ｃは、図１乃至図４に示すように、左右の下側部１５ａ１〜１５ｃ１を、仕切り板１２ｄ〜１２ｆに金具17ａ〜１７ｃを介して回転可能に設けられ、枠体１２の開口に略鉛直状態から略水平状態に開閉可能に構成されている。この枠体１２の左右の側板1２ａと前扉体１５ａ〜１５ｃとの間には、開き角度が大きくなるほどブレーキ効果が大きくなるブレーキ機能を有する開閉機構２０が備えられている。
【００１８】
開閉機構２０は、図４及び図５に示すように、ロッド２１、ブレーキ２２、ステー２３から構成されている。ロッド２１の上下端部２１ａ，２１ｂが側板1２ａの内側に固定され、ロッド２１が鉛直方向に伸びるように取り付けられている。ブレーキ２２はロッド２１を鉛直方向に移動し、このブレーキ２２にはステー２３がピン２４を支点に回転可能に設けられ、このステー２３の先端は受け金具25を介して前扉体１５ａ〜１５ｃの内側に固定されている。ブレーキ２２は、前扉体１５ａ〜１５ｃを略鉛直状態では上方へ移動して開口を閉じており、前扉体１５ａ〜１５ｃを開き略水平状態になるようにすると、ブレーキ２２は下方へ移動して開き角度が大きくなるほどブレーキ効果が大きくなるブレーキ機能を有する。
【００１９】
このように、枠体１２と前扉体１５ａ〜１５ｃとの間に、開き角度が大きくなるほどブレーキ効果が大きくなるブレーキ機能を有する開閉機構２０を備えることで、前扉体１２を略水平状態にするときの衝撃を緩和することができる。また、前扉体１５ａ〜１５ｃの左右上端角部には永久磁石80が設けられ、枠体１２の対応する位置には逆極性の永久磁石81が設けられ、前扉体１５ａ〜１５ｃが略鉛直状態を維持して開口を閉じておくようになっている。
【００２０】
また、この実施の形態では、開閉機構２０がロッド２１、ブレーキ２２、ステー２３から構成されてブレーキ機能を有するが、シリンダとロッドの構成でブレーキ機能を有するものでもよく、あるいはリンク機構でブレーキ機能を有しないものもよい。
【００２１】
枠体１２と引出し１３ａ〜１３ｆとの間には、図２、図３、図６〜図８に示すように、スライドレール機構３０が備えられている。スライドレール機構３０は、枠体側レール３１と、引出し側レール３２と、中間レール３３と、スチールボール３４，３５などを有する。枠体側レール３１は、枠体12の内側に固定された取付部材３６にビスなどで固定される。引出し側レール３２は、引出し１３ａ〜１３ｆの側部にビスなどで固定される。中間レール３３は、枠体側レール３１と引出し側レール３２との間に配置され、中間レール３３と枠体側レール３１との間に上下にスチールボール34が配置され、中間レール３３と引出し側レール３２との間に上下にスチールボール3５が配置され、引出し１３ａ〜１３ｆの全体を手前側に引き出すことができる。このように、引出し１３ａ〜１３ｆの全体を手前側に引き出しても、中間レール３３が枠体側レール３１と引出し側レール３２とによって支持され、中間レール３３によって引出し１３ａ〜１３ｆを確実に支持することができる。
【００２２】
この実施の形態では、前扉体１５ａが略鉛直状態では開口を閉じて１つの引出し１３ａを覆い、略水平状態では、図1０に示すように、開口から引出し１３ａを手前側に引出し可能で、かつ引出し１３ａの収納物の作業台として機能する。また、前扉体１５ｂが略鉛直状態では開口を閉じて２つの引出し１３ｂ、１３ｃを覆い、略水平状態では、図1１に示すように、開口から引出し１３ｂ、１３ｃを手前側に引出し可能で、かつ引出し１３ｂ、１３ｃの収納物の作業台として機能する。また、前扉体１５ｃが略鉛直状態では、図1２に示すように、開口を閉じて３つの引出し１３ｄ〜１３ｆを覆い、略水平状態では開口から引出し１３ｄ〜１３ｆを手前側に引出し可能で、かつ引出し１３ｄ〜１３ｆの収納物の作業台として機能する。
【００２３】
また、この実施の形態では、枠体１２と引出し１３ａ〜１３ｆとの間に、図２、図３、図６〜図８に示すように、スライドレール機構３０を備えられているが、このスライドレール機構３０に限定されず、あるいはスライドレール機構を用いないで枠体１２に引出し１３ａ〜１３ｆを直接可能に設けてもよい。
【００２４】
このように、前扉体１５ａ〜１５ｃは、略鉛直状態では開口を閉じて少なくとも１つの引出しを覆い、収納家具の外観がスマートになって外観性が向上する。また、前扉体１５ａ〜１５ｃは、略水平状態では開口から引出しを手前側に容易に引出し可能で、かつ引出しの収納物の作業台として機能することで、無理な姿勢になることなく引出しの収納物を取り出して略水平状態の扉体上で、例え場、衣類やタオルなどをたたんだり、開いたりするなどの作業でき、また前扉体上で作業して引出しに収納することができる。
【００２５】
前扉体１６は、図３、図９に示すように、左右の下側両部１６ａ１を、枠体１２の天板1２ｂに金具１８を介して回転可能に設けられ、枠体１２の開口に略鉛直状態から略水平状態に開閉可能に構成されている。この枠体１２と前扉体１６との間に、開き角度が大きくなるほどブレーキ効果が大きくなるブレーキ機能を有する開閉機構５０が備えられている。
【００２６】
この開閉機構５０は、ロッド５１、シリンダ５２から構成されている。ロッド５１の上端部２１ａが前扉体１６の内側に固定され、シリンダ５２の基部は、受け金具53を介して側板1２ａの内側に固定されている。開閉機構５０は、前扉体１６を略鉛直状態ではシリンダ５２内にロッド５１が入り込み開口を閉じており、前扉体１６を開き略水平状態になるようにすると、シリンダ５２からロッド５１が伸びて下方へ移動して開き角度が大きくなるほどブレーキ効果が大きくなるブレーキ機能を有し、前扉体１６の荷重を受けて保持して開口を閉じないようになっている。
【００２７】
このように、枠体１２と前扉体１６との間に、開き角度が大きくなるほどブレーキ効果が大きくなるブレーキ機能を有する開閉機構５０を備えることで、例えば手で前扉体１6を押し下げて略鉛直状態にするまでは、前扉体１６は、図３、図９に示すように、略水平状態になっているために収納物の取り出しや収納を容易に行うことができる。
【００２８】
この実施の形態では、開閉機構５０がロッド５１、シリンダ５２から構成されてブレーキ機能を有するが、これに限定されず開閉機構２０と同様な構成でブレーキ機能を有するものでもよい。
【００２９】
なお、前記実施の形態の前扉体の数や前扉体が覆う引出しの数などは特に限定されない。また、実施の形態のたんすに限定されず、ブランケットケース、下駄箱、本箱、食器棚、リビングボード、ラック、収納棚などの収納家具に同様に適用できる。
【産業上の利用可能性】
【００３０】
この発明は、たんす、ブランケットケース、下駄箱、本箱、食器棚、リビングボード、ラック、収納棚などの収納家具に適用でき、極めて簡単な操作での出し入れを可能とすることで、有効な活用を図るとともに日常の作業の簡便化を図り、また例えば季節に適さない衣服の衣更えなどを簡単に行うことができ、しかも外観がスマートになって外観性が向上する。
【図面の簡単な説明】
【００３１】
【図１】たんすの正面図である。
【図２】たんすの一部を破断した正面図である。
【図３】たんすの引き出しを引き出した状態の側面図である。
【図４】前扉体の開閉機構部の正面図である。
【図５】前扉体の開閉機構部の側面図である。
【図６】スライドレール機構部の正面図である。
【図７】スライドレール機構部の側面図である。
【図８】スライドレール機構部の作動を示す図である。
【図９】前扉体の全部を開放した状態を示す斜視図である。
【図１０】１個の引き出しを引き出した状態を示す斜視図である。
【図１１】２個の引き出しを引き出した状態を示す斜視図である。
【図１２】３個の引き出しを引き出した状態を示す斜視図である。
【符号の説明】
【００３２】
１１  たんす
１２  枠体
１３ａ〜１３ｆ  引出し
１４  棚板
１５ａ〜１５ｃ  前扉体
１６  前扉体
２０  開閉機構
３０  スライドレール機構
５０  開閉機構
６０  台板
【図１】
2008048841.tif 000003
【図２】
2008048841.tif 000004
【図３】
2008048841.tif 000005
【図４】
2008048841.tif 000006
【図５】
2008048841.tif 000007
【図６】
2008048841.tif 000008
【図７】
2008048841.tif 000009
【図８】
2008048841.tif 000010
【図９】
2008048841.tif 000011
【図１０】
2008048841.tif 000012
【図１１】
2008048841.tif 000013
【図１２】
2008048841.tif 000014